(57)【要約】【課題】ジャンプ傘において、閉傘したときには軸柄を可及的に短くして持ち運びを容易にし、また開傘時には可及的に軸柄を長くして傘をさす腕が疲れないように、或いは傘を高くさすことで身体が濡れないようにすることなどといった具合に、傘の開閉に合わせて軸柄の伸縮を自動でできるようにする。【解決手段】軸柄３は外軸３０と内軸３１との内外二重軸とされて相互伸縮自在とされており、この軸柄３は開傘動作に随伴して伸長すると共に閉傘動作に随伴して収縮可能となされ、軸柄３の伸長状態が、内軸３１に対しその軸内部から軸外方へ突出付勢状態で設けられたストッパ部材４４と、外軸３０に設けられた係止口４３との係合によって自己保持可能になっている。【選択図】図１
2006014758.tif 000002
【特許請求の範囲】
【請求項１】
下端部に握柄（５）が設けられ上端部に上ろくろ（６）が設けられた軸柄（３）に対し下位側にスライダ（７）、上位側に下ろくろ（８）となる配置でこれらが摺動自在に外挿され、上ろくろ（６）に揺動自在に保持された親骨（１０）の中途部に下ろくろ（８）に揺動自在に保持された支骨（１１）が連結され、スライダ（７）と下ろくろ（８）との間に両者を相互離反付勢する移動バネ（９）が設けられ、上記軸柄（３）の握柄（５）近傍に上記スライダ（７）を係止保持可能で人為操作によりこの係止を解除可能なハジキ（１３）が設けられたジャンプ傘において、
上記軸柄（３）は外軸（３０）と内軸（３１）との内外二重軸とされて相互伸縮自在とされており、この軸柄（３）は開傘動作に随伴して伸長すると共に閉傘動作に随伴して収縮可能となされ、軸柄（３）の伸長状態が、内軸（３１）に対しその軸内部から軸外方へ突出付勢状態で設けられたストッパ部材（４４）と外軸（３０）に設けられた係止口（４３）との係合によって自己保持可能になっていることを特徴とするジャンプ傘。
【請求項２】
前記軸柄（３）にあって外軸（３０）にはその下端部に握柄（５）が設けられ、内軸（３１）にはその上端寄りに上ろくろ（６）が設けられており、外軸（３０）の上端縁部の近傍に前記係止口（４３）が配されていると共に内軸（３１）において外軸（３０）から最も伸出した根本位置に前記ストッパ部材（４４）が配されており、且つこのストッパ部材（４４）には、外軸（３０）の上端縁部にその上位側から当接する戻り止め片（５０）と、外軸（３０）の上記係止口（４３）に係合する抜け止め片（４９）とが、各々の当接や係合を同時に生じさせる間隔をおいて軸方向に並設されていることを特徴とする請求項１記載のジャンプ傘。
【請求項３】
前記軸柄（３）には、外軸（３０）と内軸（３１）との間でこれら両者を軸方向に沿って相互離反付勢する中バネ（３２）が設けられていることを請求項１又は請求項２記載のジャンプ傘。
【請求項４】
前記軸柄（３）の内軸（３１）に設けられたストッパ部材（４４）の戻り止め片（５０）には、少なくとも上向き縁部に対し、スライダ（７）の下向き移動を受けながら内軸（３１）内への押し込みを円滑誘導するカム面（５３）が設けられていることを特徴とする請求項１乃至請求項３のいずれかに記載のジャンプ傘。
【請求項５】
前記軸柄（３）の内軸（３１）に設けられたストッパ部材（４４）の抜け止め片（４９）には、少なくとも下向き縁部に対し、戻り止め片（５０）と共に内軸（３１）内へ押し込まれるときにこれと同時に外軸（３０）の係止口（４３）からの脱出を円滑誘導するカム面（５２）が設けられていることを特徴とする請求項１乃至請求項４のいずれかに記載のジャンプ傘。
【発明の詳細な説明】
【技術分野】
【０００１】
本発明は、ジャンプ傘に関するものである。
【背景技術】
【０００２】
傘にはその構造面から大別すると、折り畳み傘（コウモリ傘）、長傘、ジャンプ傘の三種がある。このうち長傘は、原則として、折り畳み傘と異なって軸柄（中心の軸棒のことである）が短くなったり長くなったりしないものを言う。例えば蛇の目傘のような和傘もこの長傘に含まれる。
しかしながら長傘では、閉傘したときには軸柄を可及的に短くして持ち運びを容易にし、また開傘時には可及的に軸柄を長くして傘をさす腕が疲れないように、或いは傘を高くさすことで身体が濡れないようにすることなどといった要請がなされ、この要請に応えるために、軸柄の長さをある程度（折り畳み傘程ではなく、ほんの数センチである）、伸縮できるようにしたものが各種提案されている（例えば、特許文献１や２等参照）。
【０００３】
なお長傘を開傘させたり閉傘させたりするには、周知の通り、軸柄の下端部に設けられた握柄を使用者が片手に持ち、もう片方の手で軸柄に対して摺動自在に外挿された下ろくろを持って、この下ろくろを軸柄に沿って移動させることで行うものである。
【特許文献１】特開２００３−１１１６０８号公報
【特許文献２】実用新案登録第３０８５７９３号公報
【発明の開示】
【発明が解決しようとする課題】
【０００４】
最近ではジャンプ傘についても、上記したような長傘と同じように、閉傘したときには軸柄を可及的に短くして持ち運びを容易にし、また開傘時には可及的に軸柄を長くして傘をさす腕が疲れないように、或いは傘を高くさすことで身体が濡れないようにすることなどについて、要請されるようになってきている。
しかしながら、ジャンプ傘の場合、長傘とは異なって開傘をバネ力によって自動的に行わせる構造であり、軸柄に対して下ろくろとは別に更にスライダや、このスライダと下ろくろとの間を連結する移動バネなど、部品点数が増えており、また構造も複雑になっている関係で、長傘に採用された軸柄伸縮構造をそのまま流用することはできなかった。
【０００５】
本発明は、上記事情に鑑みてなされたものであって、ジャンプ傘において、閉傘したときには軸柄を可及的に短くして持ち運びを容易にし、また開傘時には可及的に軸柄を長くして傘をさす腕が疲れないように、或いは傘を高くさすことで身体が濡れないようにすることなどといった具合に、傘の開閉に合わせて軸柄の伸縮を自動でできるようにしたジャンプ傘を提供することを目的とする。
【課題を解決するための手段】
【０００６】
前記目的を達成するために、本発明は次の手段を講じた。
即ち、本発明は、下端部に握柄が設けられ上端部に上ろくろが設けられた軸柄に対し下位側にスライダ、上位側に下ろくろとなる配置でこれらが摺動自在に外挿され、上ろくろに揺動自在に保持された親骨の中途部に下ろくろに揺動自在に保持された支骨が連結され、スライダと下ろくろとの間に両者を相互離反付勢する移動バネが設けられ、上記軸柄の握柄近傍に上記スライダを係止保持可能で人為操作によりこの係止を解除可能なハジキが設けられたジャンプ傘に係るものである。
【０００７】
なお、開傘時には軸柄の握柄近傍（下端部寄り）に設けられたハジキを操作することで、スライダが軸柄に沿って上昇し、下ろくろが上ろくろに近づくようになり、支骨によって親骨が押し広げられるようになる。
そして本発明に係るジャンプ傘において、その軸柄は外軸と内軸との内外二重軸とされて相互に伸縮自在とされている。
この軸柄は、開傘動作に随伴して外軸と内軸とが伸長すると共に、閉傘動作に随伴して外軸と内軸とが収縮可能となされており、軸柄が伸長した状態は、内軸に対しその軸内部から軸外方へ突出付勢状態で設けられたストッパ部材と、外軸に設けられた係止口との係合によって自己保持可能になっている。
【０００８】
このような構成を採用することにより、ジャンプ傘においても、傘の開閉に合わせて軸柄の伸縮を自動でできるようになっている。そして、軸柄が伸長した状態がストッパ部材によって自己保持されることで、開傘時における傘生地は頗る安定したものとなる。ここで「自己保持」とは、故意に閉傘動作をさせようとするとき以外は軸柄が収縮しないような状態を言う。すなわち、歩行に関わる振動や風雨による煽りなどを受けて軸柄が伸縮するようなことがない状態である。
軸柄における外軸と内軸との上下関係については、外軸を下位側とし内軸を上位側とするのが好適である。すなわち、外軸にはその下端部に握柄が設けられ、内軸にはその上端寄りに上ろくろが設けられたものとする。この場合、外軸の上端縁部の近傍に、上記した係止口を配し、また内軸において外軸から最も伸出した根本位置（外軸から出ている部分）に、上記したストッパ部材を配すればよい。
【０００９】
このストッパ部材としては、外軸の上端縁部にその上位側から当接する戻り止め片と、外軸の上記係止口に係合する抜け止め片とが、各々の当接や係合を同時に生じさせる間隔をおいて軸方向に並設されたものとすればよい。
このような構造であれば、内軸の伸び出した状態は、内軸に設けられたストッパ部材が軸外方へ付勢される作用により、その抜け止め片を外軸の係止口へ係合させ、且つ戻り止め片が外軸の上端縁部に当接させることによって固定される。即ち、内軸は、外軸に対して所定の最伸出上限位置を越えて伸び出すこともなければ、外軸内へ戻ってしまう（軸柄が縮んでしまう）ということもない。
【００１０】
このような配置関係、及び構造を採用するのが、部品点数の少数化や構造簡潔化、低コスト化等を可能にし、また故障なども起こりにくい優れたものとする。
軸柄において、外軸と内軸との間に、これら両者を軸方向に沿って相互離反付勢する中バネを設けておくのが好適である。
このようにすることで、開傘時にはスライダの上昇に伴い軸柄の内軸が中バネの付勢力をも受けながら外軸の先方（上方）へと伸び出るようになる。従って、軸柄の伸長動作が円滑、確実且つ迅速に行えるものとなる。また開傘状態となった後の安定化が一層高まる利点がある。
【００１１】
軸柄の内軸に設けられたストッパ部材において、戻り止め片には、少なくとも上向き縁部に対し、スライダの下向き移動を受けながら内軸内への押し込みを円滑誘導するカム面を設けておくのが好適である。これにより、スライダの下向き移動が容易となる。
またストッパ部材の抜け止め片には、少なくとも下向き縁部に対し、ストッパ部材と共に内軸内へ押し込まれるときにこれと同時に外軸の係止口からの脱出を円滑誘導するカム面を設けておくのが好適である。これにより、閉傘時において外軸に対する内軸の戻り（軸柄の縮み込み）が容易となる。
【発明の効果】
【００１２】
本発明に係るジャンプ傘では、傘の開閉に合わせて軸柄が自動的に伸縮できるようになっており、もって、閉傘したときには軸柄を可及的に短くして持ち運びを容易にし、また開傘時には可及的に軸柄を長くして傘をさす腕が疲れないように、或いは傘を高くさすことで身体が濡れないようにすることなどといった要請に応えられる。
【発明を実施するための最良の形態】
【００１３】
以下、本発明の実施の形態を、図面に基づき説明する。
図１は本発明に係るジャンプ傘１の一実施形態を示したもので、（Ａ）は傘生地２を開いた開傘状態であり、（Ｂ）は傘生地２を閉じた閉傘状態である。この図１によって明らかなように、このジャンプ傘１は開傘時と閉傘時とで軸柄３の長さが伸縮する（Ｌ寸法）ようになったものである。
軸柄３の下端部には握柄５が設けられ、また軸柄３の上端部には上ろくろ６が設けられている。またこの軸柄３には、スライダ７と下ろくろ８とが外挿されている。スライダ７の方が下位側となり、そのすぐ上位側に下ろくろ７の方が配される位置付けとなっている。
【００１４】
これらスライダ７及び下ろくろ８は、互いに移動バネ９を介して連結されている。この移動バネ９は、スライダ７と下ろくろ８とを相互離反付勢する方向に弾発力を生ずるようになっている。またこれらスライダ７及び下ろくろ８は、互いに連結されたままの状態で、軸柄３に沿って摺動自在になっている。
上ろくろ６には、傘生地２を張るために放射状に張り出す親骨１０が揺動自在に保持されている。これに対し、下ろくろ８には、各親骨１０に１対１対応となって支骨１１が揺動自在に保持されており、各支骨１１の先が各親骨１０の中途部に回動自在な状態で連結保持されている。
【００１５】
またスライダ７には、各支骨１１に１対１対応となって子骨１２が揺動自在に保持されており、各子骨１２の先が各支骨１１の中途部に回動自在な状態で連結保持されている。
これら親骨１０、支骨１１、子骨１２によるリンク結合状態、及び親骨１０に張り付けられる傘生地２のテンション、更にはスライダ７と下ろくろ８とを連結している移動バネ９のバネ力などによる総合的なバネ作用として、閉傘状態からの開傘、及びこの開傘状態の維持がなされる。
そして、軸柄３における握柄５の近傍にハジキ１３が設けられており、このハジキ１３によってスライダ７を係止保持したり、人為操作によってスライダ７の係止状態を解除させたりできるようになっている。
【００１６】
図２に示すように、このハジキ１３は、一端部に固定端１５を有して「く」字状に曲がって形成された弓部１６に、スライダ７に形成された係止孔１７と係合可能になるフック片１８が設けられていると共に、このフック片１８を越えた位置でフック片１８と同じ向きに突出した押し釦１９とを有したもので、フック片１８及び押し釦１９が軸柄３の外側へ突出され、その他の部分が軸柄３の軸内部に組み入れられている。弓部１６には軸柄３の軸内面に底付き状に当接して、押し釦１０が押し込み操作されたときにフック片１８に対して没入方向に抗したバネ力を生起させるための支点部２０が形成されている。
【００１７】
このようなジャンプ傘としての基本的構造に加え、本発明に係るジャンプ傘１では、上記した軸柄３が、外軸３０内に内軸３１がガタツキ無く挿入されて相互に伸縮自在な内外二重軸として形成されている。
外軸３０が下位側とされ内軸３１が上位側とされているため、外軸３０にはその下端部に握柄５が設けられ、内軸３１にはその上端寄りに上ろくろ６が設けられている。
そして、これら外軸３０と内軸３１との間には中バネ３２が設けられている。この中バネ３２は、外軸３０内に設けられたハジキ１３の固定端１５を利用したり、適宜詰め物をしたりすることで、所定位置から下方へ位置ずれしないように設けられている。また、内軸３１の下端部には樹脂製の栓体３３が設けられており、内軸３１が外軸３０内へ入り込もうとするときにはこの栓体３３で中バネ３２を圧縮してバネ力を高めるようになっている。
【００１８】
そのためこの中バネ３２のバネ力により、これら外軸３０と内軸３１とは軸方向に沿って相互離反付勢されるようになっている。
図３は軸柄３を分解したものと仮想して示した斜視図である。この図３から明らかなように、内軸３１の外周面をその軸方向に沿わせて内側へ凹ませて１本又は２本の凹溝３６が設けられている。これに対し外軸３０には、その上端部寄りの一部にだけ、上記凹溝３６に対応させるかたちで外周面の一部を内側へ凹ませ、軸内方で突出する回り止め突起３７が設けられている。従って、外軸３０と内軸３１とは、これら凹溝３６と回り止め突起３７とのかみ合いにより、互いの摺動が回り止めされた状態で行われる。
【００１９】
また内軸３１の凹溝３６は、内軸３１の下端部までは達していない。従って内軸３１の下端部は円環形の断面形状を呈しており、凹溝３６に対してその溝内に突き当たり部３８が形成されていることになる。
これに対し、外軸３０には上記した回り止め突起３７より少し内部奥方となる位置に抜け止め突起３９が形成されるよう、外面に凹部４０を形成させてある。この凹部４０は、実際には外軸３０に内軸３１を挿入させたままの状態で、外軸３０の外周面を内軸３１の凹溝３６内へ凹ますようにして形成させる（即ち、この図３は説明の便宜上のものであって実際にはこのような状態での分解はできない）。
【００２０】
このような凹部４０を形成させることで、内軸３１の凹溝３６内に形成された突き当たり部３８が、この凹部４０の軸内方での突起として形成された抜け止め突起３９と当接し、外軸３０から内軸３１が抜けてしまうのを防止する。
外軸３０には、その上端部近傍に係止口４３が設けられている。これに対して内軸３１には、外軸３０から最も伸出した根本位置に、その軸内部から軸外方へ向けて突出付勢されるストッパ部材４４が設けられている。
図２に示すように、このストッパ部材４４は、一端部に固定端４７を有して「く」字状に曲がって形成された弓部４８を有している。またこのストッパ部材４４は、弓部４８の先端側に外軸３０の係止口４４と係合可能になる抜け止め片４９が設けられていると共に、この抜け止め片４９より手前側に、この抜け止め片４９と同じ向きに突出した戻り止め片５０が設けられている。
【００２１】
このストッパ部材４４は、抜け止め片４９及び戻り止め片５０が内軸３１の外側へ突出され、その他の部分が内軸３１の軸内部に組み入れられている。弓部４８には内軸３１の軸内面に底付き状に当接して、抜け止め片４９や戻り止め片５０が押し込まれたときにそれらに対して没入方向に抗したバネ力を生起させるための支点部５１が形成されている。
戻り止め片５０は、抜け止め片４９が外軸３０の係止口４４と係合しているときに、外軸３０の上端縁部にその上位側から当接するようになるもので、これら抜け止め片４９による係止口４４との係合と、戻り止め片５０による外軸３０の上端縁部との当接とが同時に生じるように、抜け止め片４９と戻り止め片５０との相互間隔が決められている。
【００２２】
戻り止め片５０は、上向き縁部（抜け止め片４９とは逆を向く側）がカム面５３に形成されている。図例では傾斜面としてある。そのため、スライダ７が軸柄３の高い位置からその軸方向に沿って下向き移動するときに、このスライダ７と無理なく当接しつつ、内軸３１内へ円滑誘導されて押し込まれるようになっている。
抜け止め片４９は、下向き縁部（戻り止め片５０とは逆を向く側）がカム面５２として形成されている。図例ではアール面としてある。そのため、戻り止め片５０が内軸３１内へ押し込まれるときにこれと同時に外軸３０の係止口４３からの脱出が円滑誘導される。
【００２３】
次に、このような構成とされた本発明のジャンプ傘１の使用状況に基づきながら、各部の作用を説明する。
図１（Ｂ）に示す閉傘状態から開傘させるには、まず軸柄３における握柄５の近傍（下端部寄り）に設けられたハジキ１３を押し込み操作する。これによってスライダ７は、その係止孔１７からフック片１８が外れ、親骨１０、支骨１１、子骨１２によるリンク結合状態、及び親骨１０に張り付けられる傘生地２のテンション、更にはスライダ７と下ろくろ８とを連結している移動バネ９のバネ力などによる総合的なバネ作用として、スライダ７が軸柄３に沿って上昇し、下ろくろ８が上ろくろ６に近づき、支骨１１によって親骨１０が押し広げられ、やがて図１（Ａ）に示す開傘状態となる。
【００２４】
開傘状態になる途中で、スライダ７が軸柄３を上昇する作用に伴いながら、且つ、軸柄３の内軸３１が中バネ３２の付勢力を受けながら外軸３０の先方（上方）へと伸び出るようになる。
外軸３０から内軸３１が伸長することで、ストッパ部材４４は図２に示すように、抜け止め片４９が外軸３０の係止口４３と係合すると共に、戻り止め片５０が外軸３０の上端縁部に当接した状態になる。これにより内軸３１は、外軸３０に対して所定の最伸出上限位置を越えて伸び出すこともなければ、外軸３０内へ戻ってしまう（軸柄３が縮んでしまう）ということもない。
【００２５】
このようにして、開傘時には可及的に軸柄３を長くして傘をさす腕が疲れないように、或いは傘を高くさすことで身体が濡れないようにすることができる。
一方、このジャンプ傘１を閉傘させるには、スライダ７を軸柄３の握柄５近傍まで引き下げる。このときストッパ部材４４の戻り止め片５０のカム面５３がスライダ７に押し込められ、この戻り止め片５０による外軸３０の上端縁部への当接が外されると共に、抜け止め片４９も外軸３０の係止口４３からその内方へと脱出して係合が外される。
このようにしてスライダ７が握柄５の近傍まで下降すると、このスライダ７に設けられた係止孔１７にハジキ１３のフック片１８を係合させる。これによってスライダ７は引き下げ状態が保持される。
【００２６】
このとき、スライダ７が軸柄３を下降する作用に伴いながら、軸柄３では内軸３１が外軸３０の内方へと縮小されるようになる。そのため、閉傘したときには軸柄３を可及的に短くして持ち運び等が容易になる（図１（Ｂ）参照）。
ところで、本発明は、上記実施形態に限定されるものではなく、実施の形態に応じて適宜変更可能である。
例えば、軸柄３は外軸３０と内軸３１との上下位置関係を逆にすることもできる。
本発明は、閉傘時も自動で行わせる傘としても実施可能である。
【図面の簡単な説明】
【００２７】
【図１】本発明に係るジャンプ傘の一実施形態を示した側断面図であって（Ａ）は開傘時（Ｂ）は閉傘時である。
【図２】軸柄の拡大側断面図である。
【図３】軸柄を分解したものと仮想（実際にはこのような状態での分解はできない）して示した斜視図である。
【符号の説明】
【００２８】
１  ジャンプ傘
３  軸柄
５  握柄
６  上ろくろ
７  スライダ
８  下ろくろ
９  移動バネ
１０  親骨
１１  支骨
１３  ハジキ
３０  外軸
３１  内軸
３２  中バネ
４３  係止口
４４  ストッパ部材
４９  抜け止め片
５０  戻り止め片
５２  抜け止め片のカム面
５３  戻り止め片のカム面
【図１】
2006014758.tif 000003
【図２】
2006014758.tif 000004
【図３】
2006014758.tif 000005